【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
近接場通信（ＮＦＣ）通信用ＮＦＣデバイスにおける１つまたは複数の信号の使用を可能にする方法であって、
前記ＮＦＣデバイスのＮＦＣコントローラにおいて、前記ＮＦＣデバイスのデバイスホストからステイ・クワイエット・コマンドを受信することと、前記ステイ・クワイエット・コマンドは、１つまたは複数のリモートＮＦＣエンドポイントに対応する１つまたは複数の固有の識別子（ＵＩＤ）のリストおよびＵＩＤの数に関するフィールドを含むペイロードを備える、
前記ＮＦＣコントローラによって、前記ステイ・クワイエット・コマンドに少なくとも部分的に基づいて、前記デバイスホストにステイ・クワイエット応答を送信することと、前記ステイ・クワイエット応答は、前記ステイ・クワイエット・コマンドが受信されたことを示す、
前記デバイスホストがポーリングモードにあり、フレーム無線周波数（ＲＦ）インターフェースがタイプ５プロトコルのために活性化されたときに、前記ステイ・クワイエット・コマンドが受信されるかどうかを決定することと、
前記ＮＦＣコントローラによって、前記１つまたは複数のＵＩＤに少なくとも部分的に基づいて、および前記デバイスホストが前記ポーリングモードにあり、前記フレームＲＦインターフェースがタイプ５プロトコルのために活性化されたときに前記ステイ・クワイエット・コマンドが受信されるとの決定に基づいて、前記ＮＦＣデバイスの範囲内の前記１つまたは複数のリモートＮＦＣエンドポイントに１つまたは複数のステイ・クワイエット要求を送信することと、ここにおいて、前記１つまたは複数のステイ・クワイエット要求の各々は、前記１つまたは複数のリモートＮＦＣエンドポイントのうちの１つのリモートＮＦＣエンドポイントに対応する前記１つまたは複数のＵＩＤのうちの１つのＵＩＤを含むペイロードを備える、
前記ＮＦＣコントローラによって、前記デバイスホストが前記ポーリングモードになく、前記フレームＲＦインターフェースが前記タイプ５プロトコルのために活性化されていないときに前記ステイ・クワイエット・コマンドが受信されるとの決定に基づいて、前記ＮＦＣデバイスの前記デバイスホストに状態エラーを送信することと、前記状態エラーは、前記１つまたは複数のステイ・クワイエット要求が送信されないであろうことを示す、
を備える、方法。
【請求項２】
前記ＮＦＣコントローラによって、前記１つまたは複数のステイ・クワイエット要求の前記送信の完了に少なくとも部分的に基づいて、前記デバイスホストにステイ・クワイエット通知を送信することと、
をさらに備える、請求項１に記載の方法。
【請求項３】
前記１つまたは複数のステイ・クワイエット要求は、少なくとも１つまたは複数のパラメータ値を使用するデータ交換プロトコルを使用して送信される、請求項１に記載の方法。
【請求項４】
前記１つまたは複数のパラメータ値は、ＲＦ技術およびモードパラメータのうちの１つまたは両方を含む、請求項３に記載の方法。
【請求項５】
前記ＲＦ技術およびモードパラメータは、ＮＦＣ−Ｖ技術に対応する、請求項４に記載の方法。
【請求項６】
前記ＮＦＣコントローラは、リモートＮＦＣエンドポイントの前記数に対応するステイ・クワイエット要求の数を送信する、請求項１に記載の方法。
【請求項７】
前記ＮＦＣデバイスの範囲内の前記１つまたは複数のリモートＮＦＣエンドポイントの各々は、ＵＩＤを含み、前記１つまたは複数のステイ・クワイエット要求内の前記１つまたは複数のＵＩＤのうちの１つが前記ＵＩＤと一致すると決定することに少なくとも部分的に基づいて、クワイエット状態に入るように構成されている、請求項１に記載の方法。
【請求項８】
前記ステイ・クワイエット応答は、前記ステイ・クワイエット・コマンドが受信されたことを前記デバイスホストに示すステータス値を含む、請求項１に記載の方法。
【請求項９】
前記１つまたは複数のリモートＮＦＣエンドポイントは、リモートＮＦＣタグ、またはピアＮＦＣデバイス、または読取デバイス、またはライタデバイス、またはＮＦＣカードのうちの、少なくとも、１つまたは複数を含む、請求項１に記載の方法。
【請求項１０】
近接場通信（ＮＦＣ）通信用ＮＦＣデバイスにおける１つまたは複数の信号の使用を可能にするための装置であって、
前記ＮＦＣデバイスにおいて、前記ＮＦＣデバイスのデバイスホストからステイ・クワイエット・コマンドを受信するための手段と、前記ステイ・クワイエット・コマンドは、１つまたは複数のリモートＮＦＣエンドポイントに対応する１つまたは複数の固有の識別子（ＵＩＤ）のリストおよびＵＩＤの数に関するフィールドを含むペイロードを備える、
前記ステイ・クワイエット・コマンドに少なくとも部分的に基づいて、前記デバイスホストにステイ・クワイエット応答を送信するための手段と、前記ステイ・クワイエット応答は、前記ステイ・クワイエット・コマンドが受信されたことを示す、
前記デバイスホストがポーリングモードにあり、フレーム無線周波数（ＲＦ）インターフェースがタイプ５プロトコルのために活性化されたときに、前記ステイ・クワイエット・コマンドが受信されるかどうかを決定するための手段と、
前記１つまたは複数のＵＩＤに少なくとも部分的に基づいて、および前記デバイスホストが前記ポーリングモードにあり、前記フレームＲＦインターフェースがタイプ５プロトコルのために活性化されたときに前記ステイ・クワイエット・コマンドが受信されるとの決定に基づいて、前記ＮＦＣデバイスの範囲内の前記１つまたは複数のリモートＮＦＣエンドポイントに１つまたは複数のステイ・クワイエット要求を送信するための手段と、ここにおいて、前記１つまたは複数のステイ・クワイエット要求の各々は、前記１つまたは複数のリモートＮＦＣエンドポイントのうちの１つのリモートＮＦＣエンドポイントに対応する前記１つまたは複数のＵＩＤのうちの１つのＵＩＤを含むペイロードを備える、
前記ＮＦＣコントローラによって、前記デバイスホストが前記ポーリングモードになく、前記フレームＲＦインターフェースが前記タイプ５プロトコルのために活性化されていないときに前記ステイ・クワイエット・コマンドが受信されるとの決定に基づいて、前記ＮＦＣデバイスの前記デバイスホストに状態エラーを送信するための手段と、前記状態エラーは、前記１つまたは複数のステイ・クワイエット要求が送信されないであろうことを示す、
を備える装置。
【請求項１１】
前記１つまたは複数のステイ・クワイエット要求の前記送信の完了に少なくとも部分的に基づいて、前記デバイスホストにステイ・クワイエット通知を送信するための手段と、
をさらに備える、請求項１０に記載の装置。
【請求項１２】
前記１つまたは複数のステイ・クワイエット要求は、少なくとも１つまたは複数のパラメータ値を使用するデータ交換プロトコルを使用して送信される、請求項１０に記載の装置。
【請求項１３】
前記１つまたは複数のパラメータ値は、ＲＦ技術およびモードパラメータのうちの１つまたは両方を含む、請求項１２に記載の装置。
【請求項１４】
近接場通信（ＮＦＣ）通信用ＮＦＣデバイスにおける１つまたは複数の信号の使用を可能にするための装置であって、
データを記憶するように構成されたメモリと、
前記メモリと通信可能に結合された１つまたは複数のプロセッサとを備え、ここにおいて、前記１つまたは複数のプロセッサおよび前記メモリは、
前記ＮＦＣデバイスのＮＦＣコントローラにおいて、前記ＮＦＣデバイスのデバイスホストからステイ・クワイエット・コマンドを受信することと、前記ステイ・クワイエット・コマンドは、１つまたは複数のリモートＮＦＣエンドポイントに対応する１つまたは複数の固有の識別子（ＵＩＤ）のリストおよびＵＩＤの数に関するフィールドを含むペイロードを備える、
前記ＮＦＣコントローラによって、前記ステイ・クワイエット・コマンドに少なくとも部分的に基づいて、前記デバイスホストにステイ・クワイエット応答を送信することと、前記ステイ・クワイエット応答は、前記ステイ・クワイエット・コマンドが受信されたことを示す、
前記デバイスホストがポーリングモードにあり、フレーム無線周波数（ＲＦ）インターフェースがタイプ５プロトコルのために活性化されたときに、前記ステイ・クワイエット・コマンドが受信されるかどうかを決定することと、
前記ＮＦＣコントローラによって、前記１つまたは複数のＵＩＤに少なくとも部分的に基づいて、および前記デバイスホストが前記ポーリングモードにあり、前記フレームＲＦインターフェースがタイプ５プロトコルのために活性化されたときに前記ステイ・クワイエット・コマンドが受信されるとの決定に基づいて、前記ＮＦＣデバイスの範囲内の前記１つまたは複数のリモートＮＦＣエンドポイントに１つまたは複数のステイ・クワイエット要求を送信することと、ここにおいて、前記１つまたは複数のステイ・クワイエット要求の各々は、前記１つまたは複数のリモートＮＦＣエンドポイントのうちの１つのリモートＮＦＣエンドポイントに対応する前記１つまたは複数のＵＩＤのうちの１つのＵＩＤを含むペイロードを備える、
前記ＮＦＣコントローラによって、前記デバイスホストが前記ポーリングモードになく、前記フレームＲＦインターフェースが前記タイプ５プロトコルのために活性化されていないときに前記ステイ・クワイエット・コマンドが受信されるとの決定に基づいて、前記ＮＦＣデバイスの前記デバイスホストに状態エラーを送信することと、前記状態エラーは、前記１つまたは複数のステイ・クワイエット要求が送信されないであろうことを示す、
を行うように構成される、装置。
【請求項１５】
前記１つまたは複数のプロセッサおよび前記メモリは、
前記ＮＦＣコントローラによって、前記１つまたは複数のステイ・クワイエット要求の前記送信の完了に少なくとも部分的に基づいて、前記デバイスホストにステイ・クワイエット通知を送信する
ようにさらに構成される、請求項１４に記載の装置。
【請求項１６】
前記１つまたは複数のステイ・クワイエット要求は、少なくとも１つまたは複数のパラメータ値を使用するデータ交換プロトコルを使用して送信される、請求項１４に記載の装置。
【請求項１７】
前記１つまたは複数のパラメータ値は、ＲＦ技術およびモードパラメータのうちの１つまたは両方を含む、請求項１６に記載の装置。
【請求項１８】
前記ＲＦ技術およびモードパラメータは、ＮＦＣ−Ｖ技術に対応する、請求項１７に記載の装置。
【請求項１９】
前記ＮＦＣコントローラは、リモートＮＦＣエンドポイントの前記数に対応するステイ・クワイエット要求の数を送信する、請求項１４に記載の装置。
【請求項２０】
前記ＮＦＣデバイスの範囲内の前記１つまたは複数のリモートＮＦＣエンドポイントの各々は、ＵＩＤを含み、前記１つまたは複数のステイ・クワイエット要求内の前記１つまたは複数のＵＩＤのうちの１つが前記ＵＩＤと一致すると決定することに少なくとも部分的に基づいて、クワイエット状態に入るように構成されている、請求項１４に記載の装置。
【請求項２１】
前記ステイ・クワイエット応答は、前記ステイ・クワイエット・コマンドが受信されたことを前記デバイスホストに示すステータス値を含む、請求項１４に記載の装置。
【請求項２２】
前記１つまたは複数のリモートＮＦＣエンドポイントは、リモートＮＦＣタグ、またはピアＮＦＣデバイス、または読取デバイス、またはライタデバイス、またはＮＦＣカードのうちの、少なくとも、１つまたは複数を含む、請求項１４に記載の装置。
【請求項２３】
近接場通信（ＮＦＣ）通信用ＮＦＣデバイスにおける１つまたは複数の信号の使用を可能にするための非一時的コンピュータ実行可能コードを記憶する、有形のコンピュータ可読媒体であって、
前記ＮＦＣデバイスのＮＦＣコントローラにおいて、前記ＮＦＣデバイスのデバイスホストからステイ・クワイエット・コマンドを受信するためのコードと、前記ステイ・クワイエット・コマンドは、１つのまたは複数のリモートＮＦＣエンドポイントに対応する１つまたは複数の固有の識別子（ＵＩＤ）のリストおよびＵＩＤの数に関するフィールドを含むペイロードを備える、
前記ＮＦＣコントローラによって、前記ステイ・クワイエット・コマンドに少なくとも部分的に基づいて、前記デバイスホストにステイ・クワイエット応答を送信するためのコードと、前記ステイ・クワイエット応答は、前記ステイ・クワイエット・コマンドが受信されたことを示す、
前記デバイスホストがポーリングモードにあり、フレーム無線周波数（ＲＦ）インターフェースがタイプ５プロトコルのために活性化されたときに、前記ステイ・クワイエット・コマンドが受信されるかどうかを決定するためのコードと、
前記ＮＦＣコントローラによって、前記１つまたは複数のＵＩＤに少なくとも部分的に基づいて、および前記デバイスホストが前記ポーリングモードにあり、前記フレームＲＦインターフェースがタイプ５プロトコルのために活性化されたときに前記ステイ・クワイエット・コマンドが受信されるとの決定に基づいて、前記ＮＦＣデバイスの範囲内の前記１つまたは複数のリモートＮＦＣエンドポイントに１つまたは複数のステイ・クワイエット要求を送信するためのコードと、ここにおいて、前記１つまたは複数のステイ・クワイエット要求の各々は、前記１つまたは複数のリモートＮＦＣエンドポイントのうちの１つのリモートＮＦＣエンドポイントに対応する前記１つまたは複数のＵＩＤのうちの１つのＵＩＤを含むペイロードを備える、
前記ＮＦＣコントローラによって、前記デバイスホストが前記ポーリングモードになく、前記フレームＲＦインターフェースが前記タイプ５プロトコルのために活性化されていないときに前記ステイ・クワイエット・コマンドが受信されるとの決定に基づいて、前記ＮＦＣデバイスの前記デバイスホストに状態エラーを送信するためのコードと、前記状態エラーは、前記１つまたは複数のステイ・クワイエット要求が送信されないであろうことを示す、
を備える、有形のコンピュータ可読媒体。
【請求項２４】
前記ＮＦＣコントローラによって、前記１つまたは複数のステイ・クワイエット要求の前記送信の完了に少なくとも部分的に基づいて、前記デバイスホストにステイ・クワイエット通知を送信するためのコード
をさらに備える、請求項２３に記載の有形のコンピュータ可読媒体。
【請求項２５】
前記１つまたは複数のステイ・クワイエット要求は、少なくとも１つまたは複数のパラメータ値を使用するデータ交換プロトコルを使用して送信される、請求項２３に記載の有形のコンピュータ可読媒体。
【請求項２６】
前記１つまたは複数のパラメータ値は、ＲＦ技術およびモードパラメータのうちの１つまたは両方を含む、請求項２５に記載の有形のコンピュータ可読媒体。